(57)【特許請求の範囲】
【請求項１】
天端部の内側に手摺取付部材が突設された新設ＰＣａ壁面型枠を、この新設ＰＣａ壁面型枠と略同一構造であって手摺取付部材に仮設手摺が立設されると共に既設躯体コンクリートの外壁部に一体化された既設ＰＣａ壁面型枠の天端部上に設置する工程と、
前記新設ＰＣａ壁面型枠をその肩部内側面と前記既設躯体コンクリートとの間に取り付けた伸縮自在な出入り調整治具によって出入り調整する工程と、
出入り調整した前記新設ＰＣａ壁面型枠を支保工を介して前記既設躯体コンクリートに支保する工程と、
仮設手摺を前記既設ＰＣａ壁面型枠の手摺取付部材から前記新設ＰＣａ壁面型枠の手摺取付部材に移設して前記新設ＰＣａ壁面型枠の内側面を上方へ延長した位置より内側に立設する工程と、
前記既設躯体コンクリート上に新設躯体コンクリートを打設する工程と、
からなることを特徴とするＰＣａ壁面型枠を用いたコンクリート構造物の施工方法。
【請求項２】
請求項１の記載において、
新設ＰＣａ壁面型枠にはその左右いずれか一方の肩部から突出する出入り出入り案内金具が予め取り付けられており、
出入り調整治具による前記新設ＰＣａ壁面型枠の出入り調整がこの新設ＰＣａ壁面型枠に先行して設置及び支保された隣接ＰＣａ壁面型枠の肩部に前記出入り案内金具を衝合させるように行われ、
前記新設ＰＣａ壁面型枠と隣接ＰＣａ壁面型枠の肩部同士が前記出入り案内金具を介して互いに連結されることを特徴とするＰＣａ壁面型枠を用いたコンクリート構造物の施工方法。
【請求項３】
請求項１又は２の記載において、
出入り調整治具は支保工装着後新設躯体コンクリート打設前に撤去することを特徴とするＰＣａ壁面型枠を用いたコンクリート構造物の施工方法。
【請求項４】
請求項１乃至３のうちいずれかの記載において、
新設躯体コンクリートはその上面レベルが新設ＰＣａ壁面型枠の天端部より低くなるように打設されることを特徴とするＰＣａ壁面型枠を用いたコンクリート構造物の施工方法。
【発明の詳細な説明】
【０００１】
【発明の属する技術分野】
本発明は、現場打ちされた躯体コンリートと一体化されて構造物の外壁面となるプレキャストコンクリート板を前記躯体コンクリートの打設用型枠として用いるコンクリート構造物の施工技術に関する。
【０００２】
【従来の技術】
ダム堤体等のような大規模なコンクリート構造物の施工技術としては、従来から、予め工場で成形されたプレキャストコンクリート板を躯体コンクリートの現場打ちのための型枠として用いる方法がある。図９乃至図１３は、このようなプレキャストコンクリート板からなる型枠（以下、ＰＣａ壁面型枠という）を用いたコンクリート構造物の施工方法の典型的な従来技術を示すものである。まず図９において、参照符号１０１n は地上からｎ段目に先行打設され既に養生硬化した既設躯体コンクリート、１０２n はこの既設躯体コンクリート１０１n の打設の際の型枠として用いられ一体化された地上からｎ段目の既設ＰＣａ壁面型枠である。
【０００３】
大規模なコンクリート構造物の施工においては、多くの場合高所作業となるため、労働安全上、施工外周部には墜落防止のための仮設手摺１０３の設置が義務付けられている。従来、この仮設手摺１０３は、脚部下端をＰＣａ壁面型枠１０２n の天端に形成された縦穴１０４（図１０参照）に差し込むことによって立て込んでいる。なお、参照符号１０５は後述する支保工を固定するために既設躯体コンクリート１０１n に埋設されたアンカーである。
【０００４】
図１０に示すように、既設躯体コンクリート１０１n の上に次リフト（ｎ＋１段目）の躯体コンクリートを打ち継ぐ際には、これに先行して、ｎ＋１段目のＰＣａ壁面型枠１０２n+1 をｎ段目の既設ＰＣａ壁面型枠１０２n の天端部上に設置するが、この作業を行うには、ＰＣａ壁面型枠１０２n 上から仮設手摺１０３を撤去する必要がある。したがって、仮設手摺１０３に代わる墜落防止手段として親綱（図示省略）を張り、作業員は腰等に装着した安全帯をこの親綱に繋着することによって安全の確保を図っている。
【０００５】
新設されたｎ＋１段目のＰＣａ壁面型枠１０２n+1 は、図１１の斜視図においては、右側から順次立て込まれて行く。すなわち、既設ＰＣａ壁面型枠１０１n 上に設置されたＰＣａ壁面型枠１０２n+1 は、その内側面に設けられた固定金具１０６と躯体コンクリート１０１n に半埋設されたアンカー１０５に両端を連結した複数の支保工１０７を介して支保される。これらの支保工１０７のうち、少なくともＰＣａ壁面型枠１０２n+1 の両肩を支保する支保工１０７ａには、隣接する他のＰＣａ壁面型枠との出入り調整のためのターンバックルが用いられる。また、このようにして新設したＰＣａ壁面型枠１０２n+1 上には、予め仮設手摺１０３を立て込む。なお、ＰＣａ壁面型枠１０２n+1 を支保・固定した後は、親綱や安全帯は不要となるので、取り外す。
【０００６】
次に図１２に示すように、既設の躯体コンクリート１０１n 上に、ＰＣａ壁面型枠１０２n+1 のほぼ上端のレベルまで、ｎ＋１段目の躯体コンクリート１０１n+1 を打設する。そしてこの躯体コンクリート１０１n+1 が経時的に硬化してＰＣａ壁面型枠１０２n+1 と一体化されたら、図１３に示すように、このＰＣａ壁面型枠１０２n+1 から仮設手摺１０３を取り外すと共に、これに変わる墜落防止手段としての親綱（図示省略）を張り、躯体コンクリート１０１n+1 の上に次リフト（ｎ＋２段目）のコンクリートを打設するためのｎ＋２段目のＰＣａ壁面型枠１０２n+2 をＰＣａ壁面型枠１０２n+1 上に設置し、以下、上述の一連の工程を繰り返して行く。
【０００７】
【発明が解決しようとする課題】
上記従来技術においては、次のような問題が指摘される。
(1) ＰＣａ壁面型枠上に設置した仮設手摺１０３は、次リフトのＰＣａ壁面型枠を設置する際に取り外さなければならず、また、これに代わる安全確保手段として親綱を張り、作業員がこの親綱に繋着する安全帯を着用しなければならないため、作業が煩雑である。
(2) 設置したＰＣａ壁面型枠の出入り調整手段として、このＰＣａ壁面型枠の両肩を押し引きする少なくとも２本のターンバックルが用いられるため、調整作業が煩雑になり、しかもこのターンバックルは躯体コンクリートの打設の際に埋め殺しになるため、資材コストが上昇する原因になっている。
(3) 打設後の躯体コンクリートの表面クラック等を防止するには散水によるコンクリート養生を行うことが有効であるが、躯体コンクリートはＰＣａ壁面型枠の天端近傍まで打設されているため、上面に散布した水が殆ど流出してしまい、散水を頻繁に行わなければならない。
【０００８】
本発明は、上記のような事情のもとになされたもので、その技術的課題とするところは、次リフトのＰＣａ壁面型枠設置の際に仮設手摺を取り外す必要をなくして作業の安全性を向上させると共に、施工の合理化及び施工コストの低減を図ることにある。
【０００９】
【課題を解決するための手段】
上述した技術的課題は、本発明によって有効に解決することができる。
すなわち本発明に係るＰＣａ壁面型枠を用いたコンクリート構造物の施工方法によれば、まず、天端部の内側に手摺取付部材が突設された新設ＰＣａ壁面型枠を、この新設ＰＣａ壁面型枠と略同一構造であって手摺取付部材に仮設手摺が立設されると共に既設躯体コンクリートの外壁部に一体化された既設ＰＣａ壁面型枠の天端部上に設置する。先に述べたように、ＰＣａ壁面型枠は、予め工場で成形されたプレキャストコンクリート板からなるものである。
【００１０】
既設ＰＣａ壁面型枠の天端部上に設置した新設ＰＣａ壁面型枠は、その肩部内側面と既設躯体コンクリートとの間に取り付けた伸縮自在な出入り調整治具によって出入り調整し、支保工を介して前記既設躯体コンクリートに支保する。好ましくは、新設ＰＣａ壁面型枠にはその左右いずれか一方の肩部から突出する出入り案内金具が予め取り付けられており、前記出入り調整は、この新設ＰＣａ壁面型枠に先行して設置及び支保された隣接ＰＣａ壁面型枠の肩部に前記出入り案内金具を衝合させるように行われる。このようにすれば、他方の肩部のみを出入り調整治具で押し引き調整することによって容易に出入り調整を行うことができる。また、前記新設ＰＣａ壁面型枠と隣接ＰＣａ壁面型枠の肩部同士は、前記出入り案内金具を介して互いに連結することができる。また好ましくは、前記出入り調整治具は支保工装着後新設躯体コンクリート打設前に撤去し、これによって何度も繰り返し使用することができる。
【００１１】
既設ＰＣａ壁面型枠の手摺取付部材に立設されていた仮設手摺は、前記既設ＰＣａ壁面型枠の上に設置した新設ＰＣａ壁面型枠の手摺取付部材に移設して前記新設ＰＣａ壁面型枠の内側面を上方へ延長した位置より内側に立設する。この仮設手摺は、新設ＰＣａ壁面型枠の建て込み終了までの間、既設ＰＣａ壁面型枠の手摺取付部材に立設されて既設躯体コンクリートの上面外周部を取り囲んだ状態にあるため、作業を安全に遂行することができる。
【００１２】
上述の作業後、既設躯体コンクリート上に新設躯体コンクリートを打設する。既設躯体コンクリート及び新設ＰＣａ壁面型枠は、打設後養生硬化されて行く新設躯体コンクリートと一体化される。この場合において好ましくは、前記新設躯体コンクリートはその上面レベルが新設ＰＣａ壁面型枠の天端部より低くなるように打設される。これによって、打設後のコンクリート養生のために散布された水が新設ＰＣａ壁面型枠の上部によって堰き止められ、新設躯体コンクリート上面に溜るので、何度も散水することなく新設躯体コンクリート表面のクラック発生等を有効に防止することができる。
【００１３】
【発明の実施の形態】
図１乃至図６は、本発明に係るＰＣａ壁面型枠を用いたコンクリート構造物の施工方法の好ましい一実施形態を工程順に示すものである。すなわち、まず図１において、参照符号１n は地上からｎ段目の高さで先行打設され既に養生硬化した既設躯体コンクリート、２n はこの既設躯体コンクリート１n に一体化された地上からｎ段目の既設ＰＣａ壁面型枠である。
【００１４】
既設躯体コンクリート１n の上面外周部からは既設ＰＣａ壁面型枠２n の天端部の内側に一体的に突設された手摺取付部材２１が露出しており、この手摺取付部材２１によって、墜落防止のための仮設手摺３が既設躯体コンクリート１n の上面外周部を取り囲むように立設されている。
【００１５】
手摺取付部材２１は鋼材等の金属からなるものであって、例えば図２に示すように、既設ＰＣａ壁面型枠２に複数のボルト２１ｃによって締着されるフランジ２１ａと、このフランジ２１ａに溶接Ｗされた有底円筒状の差し込み部２１ｂとを備える。したがってこの手摺取付部材２１の差し込み部２１ｂに仮設手摺３の脚部３１の下端を挿入された仮設手摺３は、既設ＰＣａ壁面型枠２n の内側面を真上に延長した位置ｐよりも内側に立設される。また、前記仮設手摺３は、図４の斜視図にも示すように、その脚部３１を段付き状に屈曲した形状とすることによって、前記位置ｐよりも確実に内側に立設されるようになっている。
【００１６】
次に図３に示すように、クレーン等によって、地上からｎ＋１段目に新設されるＰＣａ壁面型枠２n+1 を揚重し、ｎ段目の既設ＰＣａ壁面型枠２n の天端部上に設置する。このＰＣａ壁面型枠２n+1 は既設ＰＣａ壁面型枠２n と同一構造を有するものであって、その天端部の内側には予め手摺取付部材２１が一体的に取り付けられており、内側面には後述する支保工６を連結するための上下２列の複数の固定金具２２と、図４に示すように、内側から見て左肩部から略水平に突出した出入り案内金具２３が予め取り付けられている。
【００１７】
先に述べたように、既設躯体コンクリート１n の上面外周部を取り囲むように立設された仮設手摺３は、既設ＰＣａ壁面型枠２n の真上の位置よりも内側に立設されているため、この仮設手摺３は、前記新設ＰＣａ壁面型枠２n+1 の設置に際して撤去する必要がなく、したがって作業を安全にかつ円滑に遂行することができる。また、前記設置作業においては、新設ＰＣａ壁面型枠２n+1 の下端部に形成された嵌合溝２４が、既設ＰＣａ壁面型枠２n の天端部に形成された嵌合突条２５に嵌合され、これによって、新設ＰＣａ壁面型枠２n+1 の下端部が位置決めされる。
【００１８】
既設躯体コンクリート１n には、その上面から突出した状態で、新設ＰＣａ壁面型枠２n+1 の内側面の各固定金具２２と対応する複数のアンカー４が予め埋設されている。なお、この実施形態においては、新設されるｎ＋１段目のＰＣａ壁面型枠２n+1 は、図４の斜視図における右側から順次立て込まれて行くものとする。
【００１９】
新設ＰＣａ壁面型枠２n+1 を既設ＰＣａ壁面型枠２n の天端部上に設置したら、図４に示すように、新設ＰＣａ壁面型枠２n+1 の内側面に上下２列に設けられた固定金具２２のうち左肩に位置する固定金具２２ａと、これに対応するアンカー４（４ａ）との間に伸縮自在な出入り調整治具５の両端を結合し、新設ＰＣａ壁面型枠２n+1 を出入り調整することによって、既設ＰＣａ壁面型枠２n 上に先行して立て込まれた図中右側の隣接ＰＣａ壁面型枠２n+1'と整合させる。この出入り調整は、出入り調整治具５を適宜伸縮させることによって新設ＰＣａ壁面型枠２n+1 を押し引きし、その右肩部内側面を、前記隣接ＰＣａ壁面型枠２n+1'の左肩部から突出している出入り案内金具２３に衝合させることによって行うことができる。このため、従来技術のように新設ＰＣａ壁面型枠の左右両肩をそれぞれターンバックル等で押し引きする場合に比較して、短時間で確実に出入り調整を行うことができる。
【００２０】
新設ＰＣａ壁面型枠２n+1 の右肩部内側面が、その右隣の隣接ＰＣａ壁面型枠２n+1'の出入り案内金具２３に衝合することによって出入り調整が終わったら、この出入り案内金具２３を、前記右肩部内側面にボルト（図示省略）等によって固定すると共に、出入り調整治具５の伸縮を拘束する。次に、出入り調整治具５が取り付けられた左肩の固定金具２２ａ以外の上列の固定金具２２と、これに対応するアンカー４との間に金属製の長尺の棒状支保工６を溶接等によって固定する。また、この新設ＰＣａ壁面型枠２n+1 の内側に位置して既設ＰＣａ壁面型枠２n の天端部内側の手摺取付部材２１に立設されていた仮設手摺３は、この時点で撤去し、下列の各固定金具２２とこれに対応するアンカー４との間に短い棒状支保工６を溶接固定する。
【００２１】
複数の支保工６によって新設ＰＣａ壁面型枠２n+1 が支保されたら、左肩の固定金具２２ａとこれに対応するアンカー４ａから出入り調整治具５を取り外し、この固定金具２２ａとアンカー４ａとの間にも棒状支保工６を溶接固定する。一方、撤去した仮設手摺３は新設ＰＣａ壁面型枠２n+1 上に移設し、その天端部内側の手摺取付部材２１に差し込んで立設する。すなわち、この時点まで、既設躯体コンクリート１n の上面外周部が仮設手摺３で取り囲まれているため、新設ＰＣａ壁面型枠２n+1 の設置、出入り調整、支保等の工程において、作業員の墜落防止のために親綱等を張る必要はなく、作業を安全に遂行することができる。
【００２２】
上述のような作業を繰り返して、複数の新設ＰＣａ壁面型枠２n+1 を既設ＰＣａ壁面型枠２n の天端部上に順次設置して支保すると共に互いに連結して行くことによって、既設躯体コンクリート１n の上面外周部を取り囲むｎ＋１段目の全てのＰＣａ壁面型枠２n+2 が立て込まれたら、図５に示すように、既設躯体コンクリート１n の上に新設躯体コンクリート１n+1 を、その上面レベルが新設ＰＣａ壁面型枠２n+1 の天端部よりも10〜20cm程度低くなるように打設する。また、このコンクリート打設に際しては、図６に示す次リフト（ｎ＋２段目）のＰＣａ壁面型枠２n+2 に対する支保工取付のためのアンカー４が予め組み込まれる。
【００２３】
なお、この実施形態においては、手摺取付部材２１は、先に説明した図２のように、ＰＣａ壁面型枠２（２n+1 ）の天端部内側面にボルト２１ｃによって締着されるものであるため、新設躯体コンクリート１n+1 の打設レベルを手摺取付部材２１より低くすれば、仮設手摺３を撤去して次リフトのＰＣａ壁面型枠上へ移設する場合に手摺取付部材２１ごと取り外して移設し、すなわち仮設手摺３と共に何度も転用することができる。
【００２４】
打設された新設躯体コンクリート１n+1 は、経時的に硬化することによってその下段の既設躯体コンクリート１n に一体接合（打ち継ぎ）されると共に、新設ＰＣａ壁面型枠２n+1 がこの新設躯体コンクリート１n+1 に一体化されて躯体外壁部を構成する。新設躯体コンクリート１n+1 の打設後、その上面には、養生のための散水が行われる。この散水養生水（図示省略）は、新設躯体コンクリート１n+1 の上面レベルよりも高いＰＣａ壁面型枠２n+1 によって堰き止められて溜まるので、何度も散水を行うことなく前記新設躯体コンクリート１n+1 の上面の乾燥によるクラック発生を有効に防止することができる。
【００２５】
新設躯体コンクリート１n+1 が養生硬化したら、クレーン等によって、図６に示すように、次リフト（ｎ＋２段目）に新設されるＰＣａ壁面型枠２n+2 を揚重し、ｎ＋１段目のＰＣａ壁面型枠２n+1 の天端部上に設置する。この図６は、先の図３に示すｎ＋１段目のＰＣａ壁面型枠設置工程と対応するものであって、すなわちｎ＋２段目の施工においても、図３乃至図５に示す一連の工程と同様に遂行される。
【００２６】
なお、上述の実施形態では、仮設手摺３を取り付けるための手摺取付部材２１をボルト２１ｃによってＰＣａ壁面型枠に着脱可能とし、何度も転用できるものとしたが、図７の（Ａ）〜（Ｃ）に示すような埋設型としても良い。このうち、（Ａ）に示す手摺取付部材２１は、鋼管からなる差し込み部２１ｄに埋設用のスタッドジベル２１ｅを溶接又は打ち込んだものであり、（Ｂ）は差し込み部２１ｆにクサビ状埋設部２１ｇを一体的に形成したものであり、（Ｃ）は差し込み部２１ｈに鉄筋材からなる埋設部２１ｉを溶接したものである。
【００２７】
また、上述の実施形態では、手摺取付部材２１は、図８（Ａ）に示すようにほぼ鉛直に設置されるＰＣａ壁面型枠２の天端部内側面に設けられているが、例えばダム堤体の構築の場合のように、ＰＣａ壁面型枠２が非鉛直に設置されるものである場合は、差し込み部に対し、ＰＣａ壁面型枠２への埋設部又は取付フランジ部がＰＣａ壁面型枠２に対応した傾斜面をなすように形成される。
【００２８】
また、上述の実施形態では、新設ＰＣａ壁面型枠を図４における右側から順に設置して行くものとして説明したが、これは勿論限定されるものではなく、新設ＰＣａ壁面型枠の出入り調整のための出入り案内金具２３は、左右いずれの肩部に設けても良い。
【００２９】
【発明の効果】
本発明によると、次のような効果が実現される。
(1) 仮設手摺は、次リフトのＰＣａ壁面型枠を設置する際に取り外す必要がないため、安全であると共に、施工を円滑に遂行することができる。
(2) 設置したＰＣａ壁面型枠の出入り調整を、その一方の肩部を押し引きするだけで行うことができるので、出入り調整が容易である。
(3) 出入り調整治具は埋め殺しにせず何度も転用されるので資材コストを低減することができる。
(4) 散水された養生水が流出しないので、散水を頻繁に行うことなく新設躯体コンクリートの養生を行うことができる。
【図面の簡単な説明】
【図１】本発明に係るＰＣａ壁面型枠を用いたコンクリート構造物の施工方法の好ましい一実施形態において、ｎ段目の施工完了状態を示す説明図である。
【図２】上記実施形態において、ＰＣａ壁面型枠への手摺取付部材の取付構造の一例を示す斜視図である。
【図３】上記実施形態において、ｎ＋１段目の新設ＰＣａ壁面型枠を、仮設手摺が立設されたｎ段目の既設ＰＣａ壁面型枠の天端部上に設置する工程を示す説明図である。
【図４】上記実施形態において、設置したｎ＋１段目の新設ＰＣａ壁面型枠を出入り調整治具によって出入り調整すると共に支保工で支保し、仮設手摺を移設する工程を示す説明図である。
【図５】上記実施形態において、ｎ段目の既設躯体コンクリート上にｎ＋１段目の新設躯体コンクリートを打設する工程を示す説明図である。
【図６】上記実施形態において、ｎ＋１段目の施工完了後、ｎ＋２段目の新設ＰＣａ壁面型枠を搬入している状態を示す説明図である。
【図７】本発明で使用される手摺取付部材の他の形状例を示す斜視図である。
【図８】本発明で使用される手摺取付部材の取付角度の例を示す斜視図である。
【図９】従来技術によるＰＣａ壁面型枠を用いたコンクリート構造物の施工方法において、ｎ段目の施工完了状態を示す説明図である。
【図１０】上記従来技術において、ｎ＋１段目の新設ＰＣａ壁面型枠を、ｎ段目の既設ＰＣａ壁面型枠の天端部上に設置する工程を示す説明図である。
【図１１】上記従来技術において、設置したｎ＋１段目の新設ＰＣａ壁面型枠をターンバックルで出入り調整すると共に支保工で支保する工程を示す説明図である。
【図１２】上記従来技術において、ｎ段目の既設躯体コンクリート上にｎ＋１段目の新設躯体コンクリートを打設する工程を示す説明図である。
【図１３】上記従来技術において、ｎ＋１段目の施工完了後、ｎ＋２段目の新設ＰＣａ壁面型枠を搬入している状態を示す説明図である。
【符号の説明】
１n   既設躯体コンクリート
１n+1   新設躯体コンクリート
２  ＰＣａ壁面型枠
２n   既設ＰＣａ壁面型枠
２n+1   新設ＰＣａ壁面型枠
２n+1'  隣接ＰＣａ壁面型枠
２１  手摺取付部材
２３  出入り案内金具
３  仮設手摺
４  アンカー
５  出入り調整治具
６  支保工
【図１】
0003798856.tif 000002
【図２】
0003798856.tif 000003
【図３】
0003798856.tif 000004
【図４】
0003798856.tif 000005
【図５】
0003798856.tif 000006
【図６】
0003798856.tif 000007
【図７】
0003798856.tif 000008
【図８】
0003798856.tif 000009
【図９】
0003798856.tif 000010
【図１０】
0003798856.tif 000011
【図１１】
0003798856.tif 000012
【図１２】
0003798856.tif 000013
【図１３】
0003798856.tif 000014